(57)【要約】  訪問するＰＴＴ／Ｍ装備の移動機器１０８とサイト・ベースのＰＴＴ／Ｍ装備の機器１１０との間のＰＴＴ／Ｍ通信を可能にするための一時的なサイト依存のプッシュ・ツー・トーク／メディア（ＰＴＴ／Ｍ）グループを作成するシステムおよび方法である。オンサイト機器は、訪問するＰＴＴ／Ｍ装備の移動機器１０８がサイト内に入ったことを検出して登録プロセス２２０を開始する。登録プロセス２２０では、訪問するＰＴＴ／Ｍ装備の移動機器１０８をサイト・ベースのＰＴＴ／Ｍ装備の機器１１０に登録し、サイト・ベースのＰＴＴ／Ｍ装備の機器１１０を前記訪問するＰＴＴ／Ｍ装備の移動機器１０８に登録して、通常のグループＰＴＴ／Ｍ通信を実施できるようにする。訪問するＰＴＴ／Ｍ装備の移動機器１０８がそのサイトから出ると、不在であることを検出して６１０、登録取消プロセス２４０を開始する。登録取消プロセス２４０では、最近追加した機器のＩＤをサイトのＰＴＴ／Ｍネットワーク・サーバから６４０、および訪問する移動体のＰＴＴ／Ｍネットワーク・サーバから６３０、取り除く。
2008516523.tif 000002
【特許請求の範囲】
【請求項１】
訪問するプッシュ・ツー・トーク／メディア（ＰＴＴ／Ｍ）移動機器１０８とサイト・ベースのＰＴＴ／Ｍ装備の機器１１０とが１つ以上の相互通信可能なＰＴＴ／Ｍネットワーク１０２，１０４，１０６上で動作し、前記訪問するＰＴＴ／Ｍ装備の移動機器１０８がサイト内にいるときに、前記訪問するＰＴＴ／Ｍ装備の移動機器１０８と前記サイト・ベースのＰＴＴ／Ｍ装備の機器１１０との間のＰＴＴ／Ｍ通信を可能にするための一時的なサイト依存のＰＴＴ／Ｍグループを作成する方法であって、
訪問するＰＴＴ／Ｍ装備の移動機器がサイト内に入ったことを検出すること３４０と、
前記訪問するＰＴＴ／Ｍ装備の移動機器を前記サイト・ベースのＰＴＴ／Ｍ装備の機器に登録し、前記サイト・ベースのＰＴＴ／Ｍ装備の機器を前記訪問するＰＴＴ／Ｍ装備の移動機器に登録して、通常のグループＰＴＴ／Ｍ通信を実施できるようにすること２２０と、
訪問するＰＴＴ／Ｍ装備の移動機器がサイトから出たことを検出すること６１０と、
前記ＰＴＴ／Ｍ装備の移動機器がサイトから出たとき、前記サイト・ベースのＰＴＴ／Ｍ装備の機器への前記訪問するＰＴＴ／Ｍ装備の移動機器の登録を取り消すこと６３０と、前記訪問するＰＴＴ／Ｍ装備の移動機器への前記サイト・ベースのＰＴＴ／Ｍ装備の機器の登録を取り消すこと６４０と、
を含む、ＰＴＴ／Ｍグループを作成する方法。
【請求項２】
訪問するＰＴＴ／Ｍ装備の移動機器がサイト内に入ったことを検出すること３４０は、前記訪問するＰＴＴ／Ｍ装備の移動機器を、ブルートゥース（ＴＭ）技術を用いて検知することを含む、請求項１記載のＰＴＴ／Ｍグループを作成する方法。
【請求項３】
訪問するＰＴＴ／Ｍ装備の移動機器がサイト内に入ったことを検出すること３４０は、前記訪問するＰＴＴ／Ｍ装備の移動機器を、８０２．１１ＷｉＦｉ技術を用いて検知することを含む、請求項１記載のＰＴＴ／Ｍグループを作成する方法。
【請求項４】
訪問するＰＴＴ／Ｍ装備の移動機器がサイト内に入ったことを検出すること３４０は、前記訪問するＰＴＴ／Ｍ装備の移動機器を、ＩｒＤａ赤外線技術を用いて検知することを含む、請求項１記載のＰＴＴ／Ｍグループを作成する方法。
【請求項５】
訪問するＰＴＴ／Ｍ装備の移動機器がサイト内に入ったことを検出すること３４０は、前記訪問するＰＴＴ／Ｍ装備の移動機器を、測位サービスを用いて検知することを含む、請求項１記載のＰＴＴ／Ｍグループを作成する方法。
【請求項６】
前記測位サービスは全地球測位システム（ＧＰＳ）を含む、請求項５記載のＰＴＴ／Ｍグループを作成する方法。
【請求項７】
前記訪問するＰＴＴ／Ｍ装備の移動機器を前記サイト・ベースのＰＴＴ／Ｍ装備の機器に登録し、前記サイト・ベースのＰＴＴ／Ｍ装備の機器を前記訪問するＰＴＴ／Ｍ装備の移動機器に登録して、通常のグループＰＴＴ／Ｍ通信を実施できるようにすること２２０は、
前記サイト・ベースのＰＴＴ／Ｍ装備の機器のＰＴＴ／Ｍネットワーク・サーバに前記訪問するＰＴＴ／Ｍ装備の移動機器のＩＤを追加すること４４０と、
前記訪問するＰＴＴ／Ｍ装備の移動機器のＰＴＴ／Ｍネットワーク・サーバに前記サイト・ベースのＰＴＴ／Ｍ装備の機器のＩＤを追加すること４３０と、
を含む、請求項１記載のＰＴＴ／Ｍグループを作成する方法。
【請求項８】
前記訪問するＰＴＴ／Ｍ装備の移動機器がサイトから出たとき、前記サイト・ベースのＰＴＴ／Ｍ装備の機器から前記訪問するＰＴＴ／Ｍ装備の移動機器の登録を取り消すこと６３０は、
前記サイト・ベースのＰＴＴ／Ｍ装備の機器のＰＰＴ／Ｍネットワーク・サーバで、前記訪問するＰＴＴ／Ｍ装備の移動機器のＩＤを取り除くこと６４０と、
前記訪問するＰＴＴ／Ｍ装備の移動機器のＰＰＴ／Ｍネットワーク・サーバで、前記サイト・ベースのＰＴＴ／Ｍ装備の機器のＩＤを取り除くこと６３０と、
を含む、請求項１記載のＰＴＴ／Ｍグループを作成する方法。
【請求項９】
前記訪問するＰＴＴ／Ｍ装備の移動機器がいつサイトから出たか検出できない場合は、或る指定された時間の後６５０に、前記訪問するＰＴＴ／Ｍ装備の移動機器の登録を取り消す、請求項８記載のＰＴＴ／Ｍグループを作成する方法。
【請求項１０】
プッシュ・ツー・トーク／メディア（ＰＴＴ／Ｍ）装備の機器が１つ以上の相互通信可能なＰＴＴ／Ｍネットワーク上で動作し、訪問するＰＴＴ／Ｍ装備の移動機器がサイト内にいるときに、前記訪問するＰＴＴ／Ｍ装備の移動機器とサイト・ベースのＰＴＴ／Ｍ装備の機器との間のＰＴＴ／Ｍ通信を可能にするための一時的なサイト依存のＰＴＴ／Ｍグループを作成するシステムであって、
訪問するＰＴＴ／Ｍ装備の移動機器がサイト内に入ったことを検出する３４０第１の発見手段と、
前記訪問するＰＴＴ／Ｍ装備の移動機器を前記サイト・ベースのＰＴＴ／Ｍ装備の機器に登録し、前記サイト・ベースのＰＴＴ／Ｍ装備の機器を前記訪問するＰＴＴ／Ｍ装備の移動機器に登録して、通常のグループＰＴＴ／Ｍ通信を実施できるようにする手段２２０と、
訪問するＰＴＴ／Ｍ装備の移動機器がサイトから出たことを検出する６１０第２の発見手段と、
前記ＰＴＴ／Ｍ装備の移動機器がサイトから出たとき、前記サイト・ベースのＰＴＴ／Ｍ装備の機器への前記訪問するＰＴＴ／Ｍ装備の移動機器の登録を取り消す６３０手段と、前記訪問するＰＴＴ／Ｍ装備の移動機器への前記サイト・ベースのＰＴＴ／Ｍ装備の機器の登録を取り消す６４０手段と、
を含む、ＰＴＴ／Ｍグループを作成するシステム。
【請求項１１】
訪問するＰＴＴ／Ｍ装備の移動機器がサイト内に入ったことを検出する３４０前記第１の発見手段は、前記訪問するＰＴＴ／Ｍ装備の移動機器を、ブルートゥース（ＴＭ）技術を用いて検知することを含む、請求項１０記載のＰＴＴ／Ｍグループを作成するシステム。
【請求項１２】
訪問するＰＴＴ／Ｍ装備の移動機器がサイト内に入ったことを検出する３４０前記第１の発見手段は、前記訪問するＰＴＴ／Ｍ装備の移動機器を、８０２．１１ＷｉＦｉ技術を用いて検知することを含む、請求項１０記載のＰＴＴ／Ｍグループを作成するシステム。
【請求項１３】
訪問するＰＴＴ／Ｍ装備の移動機器がサイト内に入ったことを検出する３４０前記第１の発見手段は、前記訪問するＰＴＴ／Ｍ装備の移動機器を、ＩｒＤａ赤外線技術を用いて検知することを含む、請求項１０記載のＰＴＴ／Ｍグループを作成するシステム。
【請求項１４】
訪問するＰＴＴ／Ｍ装備の移動機器がサイト内に入ったことを検出する３４０前記第１の発見手段は、前記訪問するＰＴＴ／Ｍ装備の移動機器を、測位サービスを用いて検知することを含む、請求項１０記載のＰＴＴ／Ｍグループを作成するシステム。
【請求項１５】
前記測位サービスは全地球測位システム（ＧＰＳ）を含む、請求項１４記載のＰＴＴ／Ｍグループを作成するシステム。
【請求項１６】
前記訪問するＰＴＴ／Ｍ装備の移動機器を前記サイト・ベースのＰＴＴ／Ｍ装備の機器に登録し、前記サイト・ベースのＰＴＴ／Ｍ装備の機器を前記訪問するＰＴＴ／Ｍ装備の移動機器に登録して、通常のグループＰＴＴ／Ｍ通信を実施できるようにする２２０登録手段は、
前記サイト・ベースのＰＴＴ／Ｍ装備の機器のＰＴＴ／Ｍネットワーク・サーバに訪問するＰＴＴ／Ｍ装備の移動機器のＩＤを追加すること４４０と、
前記訪問するＰＴＴ／Ｍ装備の移動機器のＰＴＴ／Ｍネットワーク・サーバにサイト・ベースのＰＴＴ／Ｍ装備の機器のＩＤを追加すること４３０と、
を含む、請求項１０記載のＰＴＴ／Ｍグループを作成するシステム。
【請求項１７】
前記訪問するＰＴＴ／Ｍ装備の移動機器がサイトから出たとき、前記サイト・ベースのＰＴＴ／Ｍ装備の機器から前記訪問するＰＴＴ／Ｍ装備の移動機器の登録を取り消す６３０登録取消手段は、
前記サイト・ベースのＰＴＴ／Ｍ装備の機器のＰＰＴ／Ｍネットワーク・サーバで、前記訪問するＰＴＴ／Ｍ装備の移動機器のＩＤを取り除くこと６４０と、
前記訪問するＰＴＴ／Ｍ装備の移動機器のＰＰＴ／Ｍネットワーク・サーバで、前記サイト・ベースのＰＴＴ／Ｍ装備の機器のＩＤを取り除くこと６３０と、
を含む、請求項１０記載のＰＴＴ／Ｍグループを作成するシステム。
【請求項１８】
前記訪問するＰＴＴ／Ｍ装備の移動機器がいつサイトから出たか検出できない場合は、或る指定された時間の後６５０に、前記訪問するＰＴＴ／Ｍ装備の移動機器の登録を取り消す、請求項１５記載のＰＴＴ／Ｍグループを作成するシステム。
【発明の詳細な説明】
【背景技術】
【０００１】
プッシュ・ツー・トーク（ｐｕｓｈ−ｔｏ−ｔａｌｋ）（ＰＴＴ）または「ウォーキー・トーキー（Ｗａｌｋｉｅ  Ｔａｌｋｉｅ）」モデルは移動通信機器の最新の「キラー」アプリケーションである。基本的動作は次の通りである。ＰＴＴサービス（一般に無線ネットワーク・インフラストラクチャに統合されたＰＴＴサーバ）に接続されたＰＴＴ可能な機器を２人の加入ユーザ（バディー（仲間））が有する。このサービスは、各ユーザがいつ接続されて利用可能になったかを常に追跡して、この情報を他のユーザに伝える。必要なとき、ユーザはＰＴＴボタンを押して「ウォーキー・トーキー」セッションを開始する。このプロセスは従来の移動体発信（ＭＯ）呼より速くて直接的である。次にユーザは直接会話を行う。将来、これは発展して「プッシュ・ツー・メディア（ｐｕｓｈ−ｔｏ−ｍｅｄｉａ）」サービスになり、ユーザは絵とビデオとを用いて会話したり通信したりするようになると予想される。
【発明の開示】
【発明が解決しようとする課題】
【０００２】
プッシュ・ツー・トーク／メディア（ＰＴＴ／Ｍ）方式はビルの契約者などの「閉じた」グループにより主として用いられてきたが、最近では更に広い主流のサークルで多く用いられるようになった。現在、ユーザはコードに基づいてバディー・リスト（またはグループ）を作成して、このコードを移動機器内に永続的に記憶している。バディー・リストは「既知のサークル」内のＰＴＴ／Ｍ通信をサポートする。
【課題を解決するための手段】
【０００３】
本発明は、訪問するＰＴＴ／Ｍ装備の移動機器がサイト内にいるときに、訪問するＰＴＴ／Ｍ装備の移動機器とサイト・ベースのＰＴＴ／Ｍ装備の機器との間のＰＴＴ／Ｍ通信を可能にするための一時的なサイト依存のプッシュ・ツー・トーク／メディア・グループを作成するシステムと方法とを含む。ＰＴＴ／Ｍ装備の機器は１つ以上の相互通信可能なＰＴＴ／Ｍネットワーク上で動作する。オンサイト機器は、訪問するＰＴＴ／Ｍ装備の移動機器がサイト内に入ったことを検出すると登録プロセスを開始する。登録プロセスでは、訪問するＰＴＴ／Ｍ装備の移動機器をサイト・ベースのＰＴＴ／Ｍ装備の機器に登録し、サイト・ベースのＰＴＴ／Ｍ装備の機器を訪問するＰＴＴ／Ｍ装備の移動機器に登録して、通常のグループＰＴＴ／Ｍ通信を実施できるようにする。登録では、サイト・ベースのＰＴＴ／Ｍ装備の機器のＰＴＴ／Ｍネットワーク・サーバに訪問するＰＴＴ／Ｍ装備の移動機器のＩＤを追加し、訪問するＰＴＴ／Ｍ装備の移動機器のＰＴＴ／Ｍネットワーク・サーバにサイト・ベースのＰＴＴ／Ｍ装備の機器のＩＤを追加する。
【０００４】
訪問するＰＴＴ／Ｍ装備の移動機器がそのサイトから出ると、不在であることを検出して登録取消プロセスを開始する。登録取消では、最近追加した機器のＩＤをそのサイトのＰＴＴ／Ｍネットワーク・サーバおよび訪問する移動体のＰＴＴ／Ｍネットワーク・サーバから取り除いて、訪問するＰＴＴ／Ｍ装備の移動機器およびサイト・ベースのＰＴＴ／Ｍ装備の機器の両方のグループ・リストまたは「バディー（ｂｕｄｄｙ）」リストを、訪問する移動体をそのグループに追加する前と同じにする。
バックアップとして、訪問するＰＴＴ／Ｍ装備の移動機器がいつサイトから出たかを検出できなかった場合は、或る指定された時間の後に、訪問するＰＴＴ／Ｍ装備の移動機器の登録を自動的に取り消す。
【実施例】
【０００５】
図１は一時的なサイト依存のＰＴＴ／Ｍネットワークのネットワーク図１００である。このネットワーク図は、結合して一時的なサイト依存のバディー・リストを作成することのできる種々のＰＴＴ／Ｍ接続を示す。例えば、一時的なまたは動的なＰＴＴ／Ｍネットワークの「サイト」がレストラン／バーであるシナリオを考える。この例では、ＰＴＴ／Ｍネットワーク１０２はレストランを扱う。言い換えると、レストランはＰＴＴ／Ｍネットワーク１０２に加入する複数の移動機器またはＰＴＴ／Ｍユニット１１０を有する。ＰＴＴ／Ｍネットワーク１０２は公衆ネットワークでよいので、個々のユーザ移動機器１０８が同じネットワークに加入することもできる。他のＰＴＴ／Ｍネットワーク（例えば、１０４および１０６）は互いに、またＰＴＴ／Ｍネットワーク１０２と通信可能であって、個々のユーザ移動機器１０８はＰＴＴ／Ｍ（またはＰＴＭ、すなわちインスタント・テキスト・メッセージングなどのプッシュ・ツー・メディア）を用いて互いに通信することができる。この例でレストランが用いるＰＴＴ／Ｍユニット１１０は、バーテンダ、ウエータ、ホステスなどのいくつかの機能に対応してよい。このように、図１は本発明が機能するインフラストラクチャを示す。
【０００６】
図２は本発明の主プロセスの流れ図である。４つの主プロセスがある。すなわち、発見２１０、登録２２０、通信２３０、登録取消２４０である。発見２１０は、顧客移動体１０８をサイトのＰＴＴ／Ｍネットワーク・サーバが発見または認識するプロセスを指す。本発明はサイトに依存するので、発見２１０が起こるのはユーザの移動機器がサイトの或る領域内に入ったときである。更に、発見２１０はユーザの移動機器にとってできるだけトランスペアレントなプロセスでなければならない。この機能としては、ブルートゥース（ＴＭ）または８０２．１１などの短距離無線技術が理想的である。
【０００７】
次のプロセス（登録２２０）は、サイト依存のバディー・リストに顧客移動機器を追加することを指す。サイト依存のバディー・リストに顧客を追加すると、顧客はサイト依存のバディー・リストの他のメンバと自由に通信することができる２３０。移動機器がサイトの範囲から出ると、登録取消プロセス２４０により移動機器をサイト依存のバディー・リストから実質的に取り除き、サイト依存のバディー・リストの一部として用いた移動機器内の資源を自由に使えるようにする。
【０００８】
まず、ユーザのＰＴＴ／Ｍ装備の移動機器を活動化する。ユーザのＰＴＴ／Ｍアプリケーションは動作中であり、ユーザをそのＰＴＴ／Ｍアプリケーション・サーバに「登録する」。基本的なＰＴＴ／Ｍ機能性はＰｏＣ１．０仕様に基づくＧＰＲＳまたはＥＤＧＥによりボイス・オーバーＩＰ（ＶｏＩＰ）を用いて実現してよい。他の利用可能なオプションは二重転送モード（ＤＴＭ）方式やユニバーサル移動体電気通信システム（ＵＭＴＳ）方式を含むが、これらに限定されるものではない。「プッシュ・ツー・メディア」方式では、必要なサポートは特にＩＰマルチメディア・サブシステム（ＩＭＳ）仕様が提供する。ユーザ移動機器は、ユーザがＰＴＴ／Ｍ接触を開始するのに用いてよい記憶可能な「バディー・リスト」を有する。このバディー・リストは追加のコンタクトのための「空間」を有していて、コンタクトを追加または削除することができる。
【０００９】
同様に、レストランなどのサイトはＰＴＴ／Ｍ通信設備を装備している。レストランもＰＴＴ／Ｍアプリケーションを動作させ、ＰＴＴ／Ｍアプリケーション・サーバに「登録する」。レストランはコンタクトの追加／削除のための空間を有する記憶可能なバディー・リストを有する。
【００１０】
図３は発見プロセス２１０の詳細を記述する。発見の前提条件として、ユーザの移動体もサイトのＰＴＴ／ＭユニットもそれぞれのＰＴＴ／Ｍネットワークで活動状態である３１０，３２０（すなわち、移動機器上のＰＴＴ／Ｍ機能が可能である）必要がある。また、発見は範囲が特定される。ユーザ移動機器が発見できるのは、「サイト内にいる」３３０ときだけである。ユーザの移動機器がサイト内に入ると、短距離ＲＦまたは赤外線技術を介してこれを検出することができる３４０。例えば、ブルートゥース（ＴＭ）（移動体およびレストランはブルートゥース（ＴＭ）が可能であって互いを「検知する」）、ＷｉＦｉ（８０２．１１）、ＩｒＤａ（ユーザはレストランの入り口でＩｒＤａ機器のビームに当たる）、または位置検出（機器はＧＰＳまたはその他の測位機能を備え、検知された場所に基づいてＰＴＴ／Ｍサーバに知らせてよい）などを用いる。代替的に、ユーザは同じまたは同様の技術を用いて自分の存在をサイトに知らせてよい３５０。
【００１１】
図４は登録プロセスの詳細を記述する。ユーザの移動体を発見すると、訪問期間中、サイトのバディー・リストに加わるよう勧めるメッセージをその移動体に送る４１０。このメッセージは、発見、登録、および登録取消プロセスを実施する、管理または調整するサイトＰＴＴ／Ｍユニットから送ってよい。移動機器はこの要請に応答する４２０。応答が否定的の場合はこのプロセスは終了する。しかし応答が肯定的の場合は、このサイトのＰＴＴ／Ｍバディー・リストのコピーを移動機器に送る４３０。更に、移動機器はサイトを管理するＰＴＴ／Ｍユニットに自分のＰＴＴ／ＭのＩＤを送る４４０。これは、ブルートゥース、ＩｒＤａ、ＳＭＳ、ＳＭＳ−ＣＢ、ＷＡＰプッシュ、または他の機構を介して行ってよい。ユーザが新しいＰＴＴ／Ｍバディー・リストのコンタクトまたはグループを受けつけると、この「追加」はユーザ移動機器とレストランの両方のＰＴＴ／Ｍサーバに送られる。両者は同じＰＴＴ／Ｍサービスに加入してもよいし、または相互運用性のあるＰＴＴ／Ｍサービスのサポートを受けてもよいことに注意していただきたい。
【００１２】
次に、移動機器はそのＰＴＴ／Ｍバディー・リストを新しい追加により更新し、サイトはそのＰＴＴ／Ｍユニットの全て（または部分集合）をユーザの移動機器のＩＤにより更新する。レストラン／バーの例では、サイトＰＴＴ／Ｍユニットは、ホスト／ホステス、ウエータ／ウェートレス、バーテンダなどを含んでよい。影響を受けるＰＴＴ／Ｍユニットのバディー・リストを更新すると、２つまたは３つ以上の任意のＰＴＴ／Ｍユニットの間で通常のＰＴＴ／Ｍ通信を行ってよい。バディー・リストは現在ＰＴＴ／Ｍサーバ上に保持されているので、移動機器およびＰＴＴ／Ｍユニットのバディー・リストの全ての更新はＰＴＴ／Ｍサーバが行い、またその中で更新する。
【００１３】
図５は通信プロセスの詳細を記述する。通信プロセスは従来のＰＴＴ／Ｍ法と本質的に同じである。サイトＰＴＴ／Ｍユニット５１０は個々の移動機器５２０と接触することが可能であるし、またその逆も可能である。かかる通信は、例えば、ウエータを呼び、食事を注文し、飲み物を注文し、勘定書を要求する、などに用いてよい。更に、ＰＴＴ／Ｍユニットによりサポートされている場合はプッシュ・ツー・メディア（ＰＴＭ）を用いることができる。ＰＴＭにより、個々の移動機器は特定のレストラン（サイト）の従業員への注文または要求を、声ではなくテキスト（または絵）で送ることができる。レストランの中にいるときの環境を静かに保つにはこれが望ましい。
【００１４】
図６は登録取消プロセスの詳細を記述する。ユーザの移動機器がサイトの範囲から出ると６１０、最初に存在を検出したときとほとんど同様にして、出たことを恐らく検出する６２０。検出すると、移動機器はサイトのバディー・リストを消去する６３０。すなわち、この情報を移動機器のＰＴＴ／Ｍサーバ・プロフィールから取り除く。同様に、サイトのＰＴＴ／Ｍサーバは移動機器のＩＤをそのサーバ・プロフィールから取り除く６４０。登録取消プロセスにより本発明は一時的な性質を持つ。これにより、バディー・リストが拡張し続けるためにＰＴＴ／Ｍサーバの資源がなくなるという問題が避けられる。またこれにより、ユーザの移動機器およびサイトのＰＴＴ／Ｍユニットの両方のバディー・リストは現状に即したものになる。２日前に訪問したユーザはもう「システム内」になく、またはＰＴＴ／Ｍサーバに登録されていない。正常に終了すると、移動機器およびレストランのバディー・リストは、一時的なＰＴＴ／Ｍ通信セッションが始まる前と全く同じである。
【００１５】
移動機器がサイトから出たことを何らかの理由で検出しなかった場合は、予め定められたタイムアウト時間がバックアップとして働く。ユーザを登録するとき、予想される滞在時間に対応するタイムアウト時間を自動的にその移動機器に関連づける。このタイムアウト時間に達すると、サイトおよび移動体のＰＴＴ／Ｍサーバからバディー・リストを消去する６３０，６４０。サイトは予想されるタイムアウト時間を設定することができる。レストランの例では、滞在は３時間が普通と考えてよい。バー／ナイトクラブでも、ラストオーダーまたは閉店の時間に登録取消を開始してよい。
【００１６】
ユーザが同じサイトを定期的に訪れることがある。このような場合は、互いのＰＴＴ／Ｍデータを記憶しておいて、登録プロセスを簡単化するのがよい。ユーザがサイトに戻ったとき、ユーザを検出するか、または来たことをユーザが自分から知らせてよい。
【００１７】
発見して新たに登録するというプロセスを全部行うのではなく、ユーザおよびサイトは「記憶された」レコードを有する。これは、「なじみの」ユーザを検出したかまたは来たことをユーザが自分から知らせたときに活動的になる。ユーザの機器は測位サービスを用いて自分がそのサイトにいると判断して、ブルートゥース（ＴＭ）、ＷＬＡＮ、ＳＭＳなどを介してサイトに自動的に接触してよい。または、ユーザは来たことを手動で自分から知らせてよい。代替的に、恐らくユーザはＰＴＴ／Ｍを介してサイトと接触しようとする。このように接触したことを最初は受信（サイト）端が「気づかない」、すなわち認識しないことがあるが、発呼者を「認識する」ようなステップが交渉／構成プロセス内にあってよい。
【００１８】
本発明のコンピュータ・プログラム要素はハードウエアおよび／またはソフトウエア（ファームウエア、常駐ソフトウエア、マイクロコードなどを含む）で実現してよい。本発明はコンピュータ・プログラム製品の形をとってよく、これは命令実行システムによりまたはこれに関して用いるために媒体内に実現される、コンピュータ使用可能なまたはコンピュータ読取り可能なプログラム命令、「コード」、または「コンピュータ・プログラム」を有するコンピュータ使用可能なまたはコンピュータ読取り可能な記憶媒体により実現してよい。この文書の文脈では、コンピュータ使用可能なまたはコンピュータ読取り可能な媒体は、命令実行システム、装置、または機器によりまたはこれに関して用いるためのプログラムを、含み、記憶し、伝え、伝播し、または転送することができる任意の媒体でよい。コンピュータ使用可能なまたはコンピュータ読取り可能な媒体は、例えば、電子的、磁気的、光学的、電磁的、赤外線、または半導体のシステム、装置、機器、またはインターネットなどの伝播媒体でよいが、これらに限定されるものではない。コンピュータ使用可能なまたはコンピュータ読取り可能な媒体は、プログラムをその上にプリントする紙または他の適当な媒体でもよい。なぜなら、プログラムは紙または他の媒体を、例えば光学的に走査することにより電子的に捕らえた後、適当な方法で編集し、解釈し、またはその他の処理を行ってよいからである。ここに述べたコンピュータ・プログラム製品および任意のソフトウエアおよびハードウエアは、例示の実施の形態において本発明の機能を実行する種々の手段を形成する。
【００１９】
本発明の特定の実施の形態をここに述べた。当業者が容易に認識するように、本発明は他の環境で他のアプリケーションを有してよい。実際のところ、多くの実施の形態および事例が可能である。特許請求の範囲は本発明の範囲を上に述べた特定の実施の形態に制限するものではない。また、「の手段」という表現は要素およびクレームが手段プラス機能であることを意味するものとし、「の手段」という表現を特に用いない要素は、クレームが「手段」という語を含む場合であっても、手段プラス機能の要素であることを意味しないものとする。
【図面の簡単な説明】
【００２０】
【図１】一時的なサイト依存のＰＴＴ／Ｍネットワークのネットワーク図である。
【図２】本発明の主プロセスの流れ図である。
【図３】発見プロセスを更に記述する流れ図である。
【図４】登録プロセスを更に記述する流れ図である。
【図５】通信プロセスを更に記述する流れ図である。
【図６】登録取消プロセスを更に記述する流れ図である。
【図１】
2008516523.tif 000003
【図２】
2008516523.tif 000004
【図３】
2008516523.tif 000005
【図４】
2008516523.tif 000006
【図５】
2008516523.tif 000007
【図６】
2008516523.tif 000008
【国際調査報告】
2008516523.tif 000009
2008516523.tif 000010